(57)【要約】【課題】位置決め用の構造を有さないヨーク及びマグネットを用いる場合でも、マグネットの位置決めを容易にできるクランパーアッシーを備えた光ディスク装置を提供することである。【解決手段】中心に軸部３１ｂを有する略円形のクランパー３１と、軸部３１ｂに挿入される孔を中心に有する略円板状のマグネットと、軸部３１ｂに挿入される孔を中心に有し、マグネットをクランパー３１とで挟持するヨークとを含むクランパーアッシーを備え、クランパーアッシーとターンテーブルとの間に光ディスクをクランプする光ディスク装置において、クランパー３１には、マグネットが組み付けられる際にマグネットの外周に摺接してマグネットをセンターリングする斜面３１ｆを有するガイド３１ｅが設けられている構成とする。【選択図】図４
2012256395.tif 000002
【特許請求の範囲】
【請求項１】
中心に軸部を有する略円形のクランパーと、前記軸部に挿入される孔を中心に有する略円板状のマグネットと、前記軸部に挿入される孔を中心に有し、前記マグネットを前記クランパーとで挟持するヨークとを含むクランパーアッシーを備え、該クランパーアッシーとターンテーブルとの間に光ディスクをクランプする光ディスク装置において、
前記クランパーには、前記マグネットが組み付けられる際に前記マグネットの外周に摺接して前記マグネットをセンターリングする第１斜面を有する第１ガイドが設けられていることを特徴とする光ディスク装置。
【請求項２】
前記クランパーの前記軸部の周囲には、前記マグネットが組み付けられる際に、前記マグネットの孔に摺接して前記マグネットをセンターリングする第２斜面を有する第２ガイドが設けられていることを特徴とする請求項１記載の光ディスク装置。
【請求項３】
前記第１ガイドは、３箇所以上に分けて設けられていることを特徴とする請求項１又は２記載の光ディスク装置。
【請求項４】
前記第１ガイドは、９箇所に分けて設けられていることを特徴とする請求項３記載の光ディスク装置。
【発明の詳細な説明】
【技術分野】
【０００１】
本発明は、ＣＤ、ＤＶＤ、ＢＤ（Blu-ray Disc）等に対して記録／再生を行う光ディスク装置に関する。
【背景技術】
【０００２】
従来から光ディスク装置として、光ディスクを載置したディスクトレイを装置本体内に移動させ、装置本体内に設けたクランパーとターンテーブルとの間に光ディスクをクランプし、光ディスクに対して記録又は再生を行うようにしたものが知られている。そして近年、この光ディスク装置のクランプ機構を改良したものが種々提案されている。
【０００３】
例えば特許文献１には、ディスクを載置するターンテーブルと前記ターンテーブルに対向するクランパーとが前記ターンテーブルの回転軸方向にクリアランスを有して磁力により前記ディスクを挟持し、前記ターンテーブルをスピンドルモーターにより回転駆動するディスク駆動装置において、前記ターンテーブルは、前記ディスクのセンター孔に嵌合するハブと、前記ディスクを載置する載置面とを備え、前記ハブは前記センター孔に嵌合する嵌合部と前記嵌合部に前記センター孔を導くハブのテーパー部とを備え、前記クランパーは、前記ディスクに当接する当接部と、前記ハブのテーパー部に近接するクランパーのテーパー部と、前記クランパーのテーパー部の前記ディスク近傍に前記ディスク半径方向において前記クランパーのテーパー部より前記ハブに近接する近接部とを備えた構成が開示されている。
【０００４】
また特許文献２には、ディスクを載置するターンテーブル部と、前記ターンテーブル部とディスクを挟み保持するクランパー部とを有するディスク保持機構であって、前記ターンテーブル部は前記クランパー部のセンターリング部材と嵌合する孔部を有するとともに少なくとも一部を第１の強磁性体とし、前記クランパー部は、ディスクを押圧する押圧部と、前記押圧部の内部に固定されるマグネットと、前記ディスク押圧部材の略中心に上下に摺動可能に配置され、少なくとも一部を第２の強磁性体としたセンターリング部材とを有し、前記押圧部材は前記マグネットからの吸引力により前記ターンテーブル部に吸引されるとともに、前記センターリング部材は前記マグネットからの吸引力により前記ターンテーブル側に付勢される構成が開示されている。
【０００５】
また特許文献３には、スピンドルモーターのローター部に接合され、樹脂製のハブ部によってセンターリングされた情報記録媒体を載置するテーブル部と、前記情報記録媒体の中心部を前記テーブル部側に押し付けて前記情報記録媒体をクランプする金属プレートを有したクランパーとが具備された情報記録媒体のクランプ回転機構であって、前記ローター部には、プレート部材の絞りプレス加工により、ステータ側の軸受に対して回転自在に挿通される円筒状の軸部と、この軸部の上端より外周方向に延設され、前記テーブル部の下面側と面接合される接合部と、この接合部の外周より下方に延設されローターマグネットが装着されるヨーク部とが形成され、前記テーブル部のハブ部には円盤状のクランプマグネットがインサート成形によって一体化されてなり、前記クランパーによる前記情報記録媒体のクランプ時には、前記クランパー側の金属プレートが前記ハブ部のクランプマグネットによって吸着されることにより、前記テーブル部との間に前記情報記録媒体の中心部が挟持され、前記ローター部の回転駆動により前記情報記録媒体が回転される構成が開示されている。
【０００６】
また特許文献４には、ディスクテーブルと共に磁気的吸着力によってディスクを保持する挟持手段がホルダーの開口部に回転自在に取り付けられてなるチャッキング装置において、上記挟持手段は、上記開口部内に回転自在に案内される円柱部と、該円柱部の両端に設けられる一対のフランジ部とから構成され、上記一対のフランジ部の一方のフランジ部に外方に向かって突出し、一方の端に係合部が形成された舌片が設けられると共に、上記開口部にその内側に向かって突出し、且つ一方の端に上記挟持手段の回転軸方向に向かって立ち上がり、上記係合部と係合して上記一方のフランジ部を上記ホルダーの下面側に導く導入部が形成された突出部が設けられて成ることが開示されている。
【先行技術文献】
【特許文献】
【０００７】
【特許文献１】特開平１０−２８９５１２号公報
【特許文献２】特開平１０−２０８３４４号公報
【特許文献３】特開平９−１９８７６１号公報
【特許文献４】特開平８−１７１１７号公報
【発明の概要】
【発明が解決しようとする課題】
【０００８】
このように様々な改良がなされている中で、クランパーとマグネットとヨークとからなるクランパーアッシーを用いる仕様において、その組み立て工程で繁雑な作業がある。それは、クランパーにマグネット及びヨークを組み付ける際、マグネットを金属製のヨークに付けてヨーク及びマグネットをクランパーの軸に合わせて嵌め込む作業において、マグネットの位置決め（ここでは、センターリング）に時間が掛かるという点である。
【０００９】
この問題は、ハーフパンチ等でマグネットの位置決め用の凸部が形成された専用のヨークと、ヨークの凸部が嵌る位置決め用の凹部が形成された専用のマグネットとを用いることで解決できるが、コスト削減などの理由で位置決め用の凸部のない汎用のヨークと位置決め用の凹部のない汎用のマグネットとを流用する場合には解決できない。
【００１０】
本発明は、位置決め用の構造を有さないヨーク及びマグネットを用いる場合でも、マグネットの位置決めを容易にできるクランパーアッシーを備えた光ディスク装置を提供することを目的とする。
【課題を解決するための手段】
【００１１】
上記目的を達成するために本発明は、中心に軸部を有する略円形のクランパーと、前記軸部に挿入される孔を中心に有する略円板状のマグネットと、前記軸部に挿入される孔を中心に有し、前記マグネットを前記クランパーとで挟持するヨークとを含むクランパーアッシーを備え、該クランパーアッシーとターンテーブルとの間に光ディスクをクランプする光ディスク装置において、前記クランパーには、前記マグネットが組み付けられる際に前記マグネットの外周に摺接して前記マグネットをセンターリングする第１斜面を有する第１ガイドが設けられていることを特徴とする。
【００１２】
上記の光ディスク装置において、マグネットをより確実に容易にセンターリングする観点から、前記クランパーの前記軸部の周囲には、前記マグネットが組み付けられる際に、前記マグネットの孔に摺接して前記マグネットをセンターリングする第２斜面を有する第２ガイドが設けられていることが望ましい。
【００１３】
また上記の光ディスク装置において、マグネットをより確実に容易にセンターリングする観点から、前記第１ガイドは、３箇所以上に分けて設けられていることが望ましく、例えば、９箇所に分けて設けられていてもよい。
【発明の効果】
【００１４】
本発明によると、クランパーに少なくとも第１ガイドを設けることにより、位置決め用の構造を有さないヨーク及びマグネットを用いる場合でも、ヨーク及びマグネットの位置関係を気にすることなくクランパーに嵌め込むだけで、マグネットが自動的にセンターリングされて位置決めされる。したがって、クランパーアッシーの組み立て作業時間を短縮でき、生産性が向上する。
【図面の簡単な説明】
【００１５】
【図１】本発明の一実施形態の光ディスク装置の構成を示すブロック図である。
【図２】本発明の一実施形態の光ディスク装置におけるドライブ装置の要部分解斜視図である。
【図３】本発明の一実施形態の光ディスク装置におけるドライブ装置の平面図である。
【図４】本発明の一実施形態のクランパーの斜視図である。
【図５】図３のＡ−Ａ線断面におけるクランパーアッシー周辺の図である。
【発明を実施するための形態】
【００１６】
以下に本発明の実施形態を、図面を参照しながら説明する。なお、ここで示す実施形態は一例であり、本発明はここに示す実施形態に限定されるものではない。
【００１７】
図１は、本実施形態の光ディスク装置の構成を示すブロック図である。光ディスク装置１は、光ディスク１５の情報の再生、及び光ディスク１５への情報の記録を行うことができる。２は、スピンドルモーターであり、光ディスク１５は、このスピンドルモーター２の上部に設けられるチャック部（ターンテーブル及びクランパー）に着脱可能に保持される。そして、光ディスク１５の情報の記録再生を行う際に、スピンドルモーター２は光ディスク１５を連続回転する。スピンドルモーター２の回転制御は、スピンドルモーター制御部３によって行われる。
【００１８】
４は、光ピックアップユニット（ＯＰＵ）であり、光源から出射される光ビームを光ディスク１５に照射し、光ディスク１５への情報の書き込みと、光ディスク１５に記録されている情報の読み取りを可能とする。
【００１９】
信号処理部８は、少なくともＲＦ信号処理部９とトラックエラー信号処理部１０とフォーカスエラー信号処理部１１とを含んでいる。そして、この信号処理部８において、光検出器（不図示）で変換された電気信号に基づいて、ＲＦ信号、トラックエラー信号（ＴＥ信号）、フォーカスエラー信号（ＦＥ信号）を生成する。ＲＦ信号はデータ復調部１２でデータに復調される。
【００２０】
ＴＥ信号及びＦＥ信号は、アクチュエータ制御部７に出力される。アクチュエータ制御部７は、これらの信号に基づいて、対物レンズ２１を移動可能とする図示しないアクチュエータに駆動信号を供給する。駆動信号が供給されたアクチュエータは、信号に基づいて各部を作動させて、対物レンズ２１を光軸と平行な方向に移動して、光ディスク１５の記録面１５ａにフォーカスを追従させるフォーカス制御や対物レンズ２１を光ディスク１５の半径方向と平行な方向に移動して光ビームのスポット位置を光ディスク１５に形成されるトラック位置に追従させるトラッキング制御を行う。
【００２１】
その他、レーザ制御手段５は、光ピックアップ４に備えられる半導体レーザから成る光源（不図示）のレーザ出力を制御する。また、全体制御部１３は、スピンドルモーター制御部３、レーザ制御部５、ビームエキスパンダ制御部６、アクチュエータ制御部７、信号処理部８、及びデータ復調部１２等を制御して、装置全体のコントロールを行う。
【００２２】
図２は、本発明の一実施形態の光ディスク装置１におけるドライブ装置２０の要部分解斜視図、図３は、本発明の一実施形態の光ディスク装置１におけるドライブ装置２０の平面図である。
【００２３】
光ディスク装置１は外観を形成する装置本体の筐体内にドライブ装置２０を収容している。ドライブ装置２０は、ドライブ装置２０の各部材を収容するローダーシャーシ２１と、ローダーシャーシ２１の上面開口部を覆うカバー２２とを備えている。
【００２４】
ローダーシャーシ２１には、光ディスクを搬送するディスクトレイ２３と、ディスクトレイ２３の搬送方向（前後方向）に略垂直な方向（上下方向）に旋回して昇降可能なトラバースアッシー２４と、トラバースアッシー２４を支持するとともに上下動するレバーアーム（不図示）と、レバーアームの前部とカム係合し、左右方向（ディスクトレイ２３の搬送方向及びトラバースアッシー２４の昇降方向と略直交する方向）に移動してレバーアームを上下動させるカムスライダー（不図示）と、ディスクトレイ２３及びカムスライダーを複数のギヤを介して駆動するモーター（不図示）などが収容されている。
【００２５】
トラバースアッシー２４は、各部材を載せるためのトラバースシャーシ（不図示）と、光ピックアップユニット（ＯＰＵ）２５と、ＯＰＵ２５を光ディスクの径方向（前後方向）に移動可能に支持する２本のガイドシャフト２６、２６と、ＯＰＵ駆動用のステッピングモーター（不図示）と、トラバースシャーシの上面の前寄り部分に設けられ、光ディスクを回転させるスピンドルモーター２と、スピンドルモーター２の上部に設けられたターンテーブル２７とを備えている。
【００２６】
トラバースアッシー２４は、トラバースシャーシの前端２点で係止手段（不図示）によりレバーアームに係止され、トラバースシャーシの後端２点で係止手段によりローダーシャーシ２１に係止されている。係止手段は、ゴム製のＯリング及びビスである。
【００２７】
カバー２２には、円形の開口部２２ａが形成されている。そして、開口部２２ａにクランパーアッシー３０が嵌め込まれ、開口部２２ａより一回り大きな樹脂シート２８が開口部２２ａ上面の周囲に貼着されている。これにより、クランパーアッシー３０が飛び出さず、回転自在及び上下動自在に保持される。
【００２８】
クランパーアッシー３０は、略円形のクランパー３１と、略円板状のマグネット３２と、マグネット３２をクランパー３１とで挟持するヨーク３３とから構成される。なお、クランパーアッシー３０は他の部材を含んでいてもよい。クランパーアッシー３０の詳細な構成については後述する。
【００２９】
上記構成の光ディスク装置１において、引き出された状態のディスクトレイ２３に光ディスクが載置されると、モーターの駆動によりディスクトレイ２３が光ディスク装置１内に搬送される。ディスクトレイ２３が所定位置に配されると、ディスクトレイ２３へのモーターの駆動力の伝達が解除されてディスクトレイ２３が停止し、モーターの駆動によりカムスライダーが移動し、トラバースアッシー２４を上昇させる。
【００３０】
これにより、トラバースアッシー２４が光ディスクに係合し、クランパーアッシー３０とターンテーブル２７との磁力による吸着によって光ディスクがクランパーアッシー３０とターンテーブル２７との間にクランプ（チャッキング）される。
【００３１】
光ディスクがクランプされると、カムスライダーへのモーターの駆動力伝達が解除されてカムスライダー及びトラバースアッシー２４が停止する。続いてステッピングモーターの駆動によりＯＰＵ２５が所定位置に移動し、光ディスクに対して記録又は再生を行う。また、光ディスクを取り出す際には上記と逆の動作が行われる。
【００３２】
次に、本発明の特徴的な構成であるクランパーアッシー３０について詳しく説明する。図４は、クランパー３１の斜視図、図５は、図３のＡ−Ａ線断面におけるクランパーアッシー３０周辺の図である。
【００３３】
上述したように、クランパーアッシー３０はクランパー３１とマグネット３２とヨーク３３とから構成されている。クランパー３１は略円形のカップ形状の樹脂製部材であり、カップ形状の口部分に沿って円盤状のフランジ３１ａが形成されている。そして、このフランジ３１ａが、カバー２２の開口部２２ａ下部の外周に形成された円形のフランジ受け部２２ｂに載置されることで、クランパーアッシー３０がカバー２２の開口部２２ａに収まる。
【００３４】
またクランパー３１には、カップ形状の内底の中心から上方に突出した棒状の軸部３１ｂが形成されている。軸部３１ｂはマグネット３２及びヨーク３３を嵌めるためのものである。軸部３１ｂの下部の周囲には、マグネット３２が組み付けられる際に、マグネット３２の孔３２ａの外周に摺接してマグネット３２をセンターリングする斜面（第２斜面）３１ｄを有するガイド（第２ガイド）３１ｃが形成されている。表現を変えると、ガイド３１ｃの上部に軸部３１ｂが形成されているとも言える。
【００３５】
ガイド３１ｃはマグネット３２の孔３２ａよりやや小さく、斜面３１ｄはマグネット３２を上から押さえたときにマグネット３２がスムーズに滑る程度の角度があればよい。
【００３６】
なお、ガイド３１ｃは必ずしも軸部３１ｂの周囲全体に設ける必要はなく、軸部３１ｂの周囲に複数箇所に分けて設けてもよい。また、斜面３１ｆは曲面に限らず、平面でもよい。
【００３７】
またクランパー３１には、マグネット３２が組み付けられる際にマグネット３２の外周に摺接してマグネット３２をセンターリングする斜面（第１斜面）３１ｆを有するガイド（第１ガイド）３１ｅが形成されている。本実施形態では９箇所に分けて９つのガイド３１ｅが設けられている。
【００３８】
９つのガイド３１ｅは、クランパー３１のカップ形状の内底に、斜面３１ｆが内向き（クランパー３１の中心向き）となるように円形にほぼ均等に配設されている。ガイド３１ｅはクランパー３１内でのマグネット３２の外周位置よりやや外側に配設され、斜面３１ｆはマグネット３２を上から押さえたときにマグネット３２がスムーズに滑る程度の角度があればよい。また、一部（図４では３箇所）のガイド３１ｅは補強リブ３１ｇと一体であり、クランパー３１の剛性を確保する構成も兼ねている。
【００３９】
なお、ガイド３１ｅは、図４に示したような狭幅であれば、少なくとも３箇所（３つ）以上に分けて設ければ足りる。一方、ガイド３１ｅを広幅にすれば、対向する２箇所（２つ）でも足り、また、一周に渡って繋がった状態であれば１箇所（１つ）でも足りる。なお、効果が得られる範囲でガイド３１ｅを少なく小さくするほど、クランパー３１が軽量化される。また、斜面３１ｆは平面に限らず、曲面でもよい。
【００４０】
また、クランパー３１の内周部分には、ヨーク３３係止する複数（図４では３つ）の爪部３１ｈが形成されている。爪部３１ｈは断面が略Ｊ字型であり、先端でヨーク３３の上面を押さえるようになっている。
【００４１】
マグネット３２は、軸部３１ｂに挿入される孔３２ａを中心に有する略円板状の部材である。マグネット３２の外径は斜面３１ｆの下端を繋いだときに形成される円形よりもやや小さく、孔３２ａはガイド３１ｃの外径よりやや大きな円形である。そして、マグネット３２は両ガイド３１ｃ、３１ｅによって位置決めされ、クランパー３１の内底面とヨーク３３とに挟持された状態でクランパー３１内に収まる。
【００４２】
ヨーク３３は、軸部３１ｂに挿入される孔３３ａを中心に有する略円板状の金属製部材であり、円形の外縁の３箇所に突出部３３ｂが形成されている。この突出部３３ｂの上面がそれぞれクランパー３１の爪部３１ｈの先端で下向きに付勢されることで、ヨーク３３及びマグネット３２がクランパー３１に固定される。
【００４３】
クランパーアッシーの組み立て工程では、まず、マグネット３２をヨーク３３に磁力によって吸着させる。このとき、マグネット３２の孔３２ａとヨーク３３の孔３３ａとが重なる程度に位置を合わせておく。
【００４４】
次に、マグネット３２の孔３２ａ及びヨーク３３の孔３３ａをクランパー３１の軸部３１ｂに合わせて嵌める。ヨーク３３の孔３３ａと軸部３１ｂとを合わせるように嵌めるとよい。このとき、マグネット３２の中心とヨーク３３の中心とが多少ずれていても、マグネット３２が両ガイド３１ｃ、３１ｅの斜面３１ｄ、３１ｆを滑り台を滑るように移動することでセンターリングされ、位置決めされる。
【００４５】
次に、ヨーク３３を時計回りに回転させ、ヨーク３３の突出部３３ｂをクランパー３１の爪部３１ｈに嵌め込み、ヨーク３３及びマグネット３２を固定することで組み立てが完了する。
【００４６】
このように本実施形態によれば、クランパー３１にガイド３１ｃ、３１ｅを設けることにより、位置決め用の構造を有さないヨーク３３及びマグネット３２を用いる場合でも、ヨーク３３及びマグネット３２の位置関係を気にすることなくクランパー３１に嵌め込むだけで、マグネット３２が自動的にセンターリングされて位置決めされる。したがって、クランパーアッシー３０の組み立て作業時間を短縮でき、生産性が向上する。
【００４７】
なお、少なくともガイド（第１ガイド）３１ｅ又はガイド（第２ガイド）３１ｃの一方を設けることで本発明の効果は得られる。
【産業上の利用可能性】
【００４８】
本発明は、ＣＤ、ＤＶＤ、ＢＤ等に対して記録／再生を行う光ディスク装置に利用でき、例えば、ＢＤ・ＤＶＤプレーヤ、ＢＤ・ＤＶＤレコーダ、テレビ一体型ＢＤ・ＤＶＤレコーダ、ＢＤ・ＤＶＤ記録再生装置搭載のパーソナルコンピュータなどが挙げられる。
【符号の説明】
【００４９】
１    光ディスク装置
１５    光ディスク
３０    クランパーアッシー
３１    クランパー
３１ｂ  軸部
３１ｃ  ガイド（第２ガイド）
３１ｄ  斜面（第２斜面）
３１ｅ  ガイド（第１ガイド）
３１ｆ  斜面（第１斜面）
３２    マグネット
３２ａ  孔
３３    ヨーク
３３ａ  孔
【図１】
2012256395.tif 000003
【図２】
2012256395.tif 000004
【図３】
2012256395.tif 000005
【図４】
2012256395.tif 000006
【図５】
2012256395.tif 000007